(57)【特許請求の範囲】
【請求項１】
ガスメータの口金に嵌合して支持される嵌合部を有し、前記ガスメータの側面に添設される取付け具本体と、この取付け具本体に取付けられ前記ガスメータの機器と電気的に接続される通報装置とを備え、
前記取付け具本体は、略Ｌ字状に折曲され、水平部と垂直部とを形成した板状体からなり、前記水平部に前記ガスメータの口金に嵌合して支持される前記嵌合部を有し、前記垂直部に前記通報装置の取付け部を設けたことを特徴とするガスメータ通報装置の取付け具。
【請求項２】
前記取付け具本体は、略Ｌ字状に折曲され、水平部と垂直部とを形成した板状体からなり、前記水平部に前記ガスメータの口金に嵌合して支持される前記嵌合部を有し、前記垂直部に前記通報装置の取付け部を有し、左右反転によってガスメータの左右側面に選択的に取付けられることを特徴とする請求項１記載のガスメータ通報装置の取付け具。
【発明の詳細な説明】
【０００１】
【発明の属する技術分野】
この発明は、マイコンガスメータを使用し、集中監視を行う場合に、マイコンガスメータに電気的に接続される通報装置の取付け具に関する。
【０００２】
【従来の技術】
マイコンガスメータを使用し、集中監視を行う場合、マイコンガスメータに通報装置を電気的に接続し、マイコンガスメータに内蔵された検針機器等と通報装置とで信号の授受を行い、通報装置から電話回線を利用して検針センター等に送信するようになっている。
【０００３】
通常、マイコンガスメータと通報装置とは別機器であり、通報装置はマイコンガスメータの近傍の壁等に取付けられ、マイコンガスメータと通報装置とを信号線で結線している。また、マイコンガスメータに通報装置を内蔵したものも開発され、実用化されている。
【０００４】
【発明が解決しようとする課題】
ところで、マイコンガスメータと通報装置とが別機器の場合、通報装置を壁等に直接または取付け金具を用いて取付け、マイコンガスメータと通報装置とを結線しているが、通報装置を取付ける場所を確保する必要があると共に、結線を壁等に添わせる必要があり、美観を損なうという問題があった。
【０００５】
また、マイコンガスメータに通報装置を内蔵したものは、通報装置の電池切れやマイコンガスメータの有効期限切れなどで部分交換が必要になった場合に、その交換作業が煩雑であり、また部分交換が不可能な場合には使用可能な部分まで一緒に交換することになり、不経済である。
【０００６】
この発明は、前記事情に着目してなされたもので、その目的とするところは、通報装置の取付け場所を確保する必要がなく、またマイコンガスメータと通報装置とを電気的に接続する結線が露出することなく、美観を損なう問題を解消することができ、さらに保守点検、交換および修理が簡単に行えるマイコンガスメータ通報装置の取付け具を提供することにある。
【０００７】
【課題を解決するための手段】
この発明は、前述した目的を達成するために、請求項１は、ガスメータの口金に嵌合して支持される嵌合部を有し、前記ガスメータの側面に添設される取付け具本体と、この取付け具本体に取付けられ前記ガスメータの機器と電気的に接続される通報装置とを備え、前記取付け具本体は、略Ｌ字状に折曲され、水平部と垂直部とを形成した板状体からなり、前記水平部に前記ガスメータの口金に嵌合して支持される前記嵌合部を有し、前記垂直部に前記通報装置の取付け部を設けたことを特徴とするガスメータ通報装置の取付け具にある。
【０００８】
請求項２は、請求項１において、取付け具本体は、略Ｌ字状に折曲され、水平部と垂直部とを形成した板状体からなり、前記水平部に前記ガスメータの口金に嵌合して支持される前記嵌合部を有し、前記垂直部に前記通報装置の取付け部を有し、左右反転によってガスメータの左右側面に選択的に取付けられることを特徴とする。
【００１０】
【発明の実施の形態】
以下、この発明の実施の形態を図面に基づいて説明する。
図１および図２は第１の実施形態を示す。図中１は公知のマイコンガスメータであり、ケース本体２の上部にはガス流入口とガス流出口を構成する口金３，４が設けられ、ケース本体２の前部にはガスの消費量を積算指示するカウンタ５が設けられている。
【００１１】
前記ケース本体２には通報装置６を取付ける取付け具本体７が設けられている。この取付け具本体７は、図２（ａ）〜（ｃ）に示すように、金属板状体を略Ｌ字状に折曲することにより形成されている。そして、取付け具本体７の水平部８にはマイコンガスメータ１の一方の口金４に嵌合する嵌合部としての嵌合孔９が設けられ、垂直部１０には複数のビス孔１１を有する取付け部１２が設けられている。
【００１２】
さらに、垂直部１０の略中央部には内側に切起した帯状片からなる補助取付け片１０ａが設けられ、この補助取付け片１０ａの先端部にもビス孔１１が設けられている。
【００１３】
したがって、マイコンガスメータ１をガス配管と接続する前に、取付け具本体７の嵌合孔９を口金４に嵌合することにより、取付け部１２がマイコンガスメータ１の右側面１ａに添設される。そして、この取付け部１２に通報装置６をビス１３によって取付けることにより、通報装置６をマイコンガスメータ１に付設することができる。また、補助取付け片１０ａはケース本体２の側壁に設けられている凹部２ａの内部に挿入され、凹部２ａの底部にビス１３によって取付けられる。
【００１４】
通報装置６から導出された一方の信号線１４ａはマイコンガスメータ１に内蔵された検針機器（図示しない）等に結線され、他方の信号線１４ｂは電話回線に接続される。
【００１５】
なお、本実施形態においては、マイコンガスメータ１の右側面１ａに通報装置６を取付ける場合について説明したが、左側面１ｂに通報装置６を取付ける場合には取付け具本体７を左右反転することにより、口金３に取付け具本体７の嵌合孔９を嵌合すればよく、マイコンガスメータ１の設置場所の状況に応じて選択することができる。
【００１６】
本実施形態のように、取付け具本体７の嵌合孔９を口金４に嵌合することにより取付けることができ、新たなねじやＵボルト等が不要となり、簡単に取付けることができる。また、口金４にゴムパッキンまたはばね座を嵌合することにより、取付けの安定化を図るようにしてもよい。
【００１７】
また、本実施形態においては、取付け具本体７の水平部８に口金４に嵌合する嵌合孔９を設けたが、図２（ｄ）（ｅ）に示すように、水平部８の先端部方向に開口する切欠部あるいは側部に開口する切欠部からなる嵌合部９ａを設け、口金４に横方向から差し込み嵌合するようにしてもよい。このように構成することにより、口金４にガス配管を接続後においても取付けることができる。
【００１８】
図３および図４は第２の実施形態を示す。本実施形態の通報装置６を取付ける取付け具本体１５は、図４（ａ）〜（ｃ）に示すように、金属板状体を略Ｌ字状に折曲することにより形成されている。そして、取付け具本体１５の水平部１６にはマイコンガスメータ１の両方の口金３，４に嵌合する嵌合部としての２つの嵌合孔１７，１８が設けられ、垂直部１９には複数のビス孔２０を有する取付け部２１が設けられている。
【００１９】
さらに、垂直部１９の略中央部には内側に切起した帯状片からなる補助取付け片１９ａが設けられ、この補助取付け片１９ａの先端部にもビス孔２０が設けられている。
【００２０】
したがって、マイコンガスメータ１をガス配管と接続する前に、取付け具本体１５の嵌合孔１７，１８を口金３，４に嵌合することにより、取付け部２１がマイコンガスメータ１の右側面１ａに添設される。そして、この取付け部２１に通報装置６をビス２２によって取付け、また、補助取付け片１９ａはケース本体２の側壁に設けられている凹部２ａの内部に挿入し、凹部２ａの底部にビス２２によって取付けることにより、通報装置６をマイコンガスメータ１に付設することができる。
【００２１】
なお、本実施形態においては、マイコンガスメータ１の右側面１ａに通報装置６を取付ける場合について説明したが、左側面１ｂに通報装置６を取付ける場合には取付け具本体１５を左右反転して口金３，４に取付け具本体１５の嵌合孔１７，１８を嵌合すればよく、マイコンガスメータ１の設置場所の状況に応じて選択することができる。
【００２２】
また、本実施形態においては、取付け具本体１５の水平部１６に口金４に嵌合する嵌合孔１７，１８を設けたが、図４（ｄ）に示すように、水平部１６の側部に開口する切欠部からなる嵌合部１７ａ，１８ａを設け、口金４に横方向から差し込み嵌合するようにしてもよい。このように構成することにより、口金４にガス配管を接続後においても取付けることができる。
【００２３】
【発明の効果】
以上説明したように、請求項１によれば、マイコンガスメータに通報装置を取付けることにより、通報装置の設置場所を確保する必要がなく、マイコンガスメータの側面のデッドスペースを利用して通報装置をコンパクトに取付けることができる。また、マイコンガスメータと通報装置とを電気的に接続する結線が壁等に露出することなく、美観を損なう問題を解消することができる。さらに保守点検、交換および修理が簡単に行え、経済的であると共に、故障が発生した場合に責任分担が明確となり、対処もしやすいという効果がある。さらに、取付け具本体の嵌合部を口金に嵌合することにより取付けることができ、新たなねじやＵボルト等が不要となり、簡単に取付けることができる。
【００２４】
さらに、取付け具本体が略Ｌ字状であるため、マイコンガスメータのケース本体に添って取付け具本体が取付けられ、ケース本体からの突出量が小さく、コンパクトに取付けられるという効果がある。
【００２５】
請求項２によれば、取付け具本体を左右反転してマイコンガスメータの左右側面のいずれにも取付けることができ、設置場所の状況に応じて選択することができるという効果がある。
【図面の簡単な説明】
【図１】この発明の第１の実施形態のマイコンガスメータに通報装置を取付けた状態を示し、（ａ）は正面図、（ｂ）は側面図、（ｃ）は平面図。
【図２】同実施形態の取付け具本体を示し、（ａ）は正面図、（ｂ）は側面図、（ｃ）は平面図、（ｄ）（ｅ）は変形例を示す平面図。
【図３】この発明の第２の実施形態のマイコンガスメータに通報装置を取付けた状態を示し、（ａ）は正面図、（ｂ）は側面図、（ｃ）は平面図。
【図４】同実施形態の取付け具本体を示し、（ａ）は正面図、（ｂ）は側面図、（ｃ）は平面図、（ｄ）は変形例を示す平面図。
【符号の説明】
１…マイコンガスメータ
３，４…口金
６…通報装置
７…取付け具本体
８…水平部
９…嵌合孔
１０…垂直部
１２…取付け部
【図１】
0003720482.tif 000002
【図２】
0003720482.tif 000003
【図３】
0003720482.tif 000004
【図４】
0003720482.tif 000005